(57)【要約】【課題】吐出路を閉塞するバージンシールに加え、外部から一見して容器の未使用が判別できるバージンシールを備え、しかも、簡単な操作により各バージンシールを外すことができて取り扱い上極めて便利であり、また、容易に吐出路の開封ができる中栓付きキャップを提案する。【解決手段】下端を押圧破断可能な閉塞板24で閉塞した内筒22を容器体口頸部に嵌合し、口頸部外周に外筒20を嵌合した中栓２を設け、外筒下端に易切断性の破断部を介して上端を連結した封緘リング３を切取可能に設け、更に、当初スライド下降し、後に螺動下降する如く、封緘リング３上に注出キャップ４を装着し、スライド下降後に吐出筒44が閉塞板24を押圧破断する如く構成した。【選択図】図１
2006306459.tif 000002
【特許請求の範囲】
【請求項１】
容器体口頸部12の上部外周に嵌合した外筒20と口頸部12内周に嵌合した内筒22とをフランジ21で連結するとともに、内筒22下端部を押圧破断可能な閉塞板24で閉塞し、且つ、口頸部12に対して抜け出し不能に装着した中栓２と、前記外筒外周下端部に易切断性の破断部を介して上端部を連結するとともに、前記口頸部下部の大外径部12b 外周に垂下して切断除去可能に設けた封緘リング３と、前記封緘リング上方に押し下げ可能に周壁40を位置させて離脱可能に係止するとともに、前記大外径部外周の第１螺条15に螺合する第２螺条42を周壁40の内周下部に形成し、且つ、頂板43より前記内筒内周を液密に摺動する吐出筒44を垂設したキャップ本体４と、前記吐出筒内の頂板43に設けた吐出口ａを液密に閉塞する栓を垂設してキャップ本体４上を閉塞する蓋体５とを備え、封緘リング３の切断除去後に前記第２螺条と第１螺条15との螺合開始位置までキャップ本体４を押し下げた後に、吐出筒44の下端縁が前記閉塞板24を押圧破断する如く構成したことを特徴とする中栓付きキャップ。
【請求項２】
前記閉塞板24が、周囲を易切断性の破断部を介して内筒22に連結してなる請求項１記載の中栓付きキャップ。
【請求項３】
前記吐出筒44の下端部を、下端縁が傾斜する切断刃45に形成してなる請求項１又は請求項２のいずれかに記載の中栓付きキャップ。
【発明の詳細な説明】
【技術分野】
【０００１】
本発明はキャップに関し、詳しくは、中栓との組み合わせでバージンシール機能を発揮する中栓付きのキャップに関する。
【背景技術】
【０００２】
装着した容器体の未使用を確認できる中栓付きのキャップが提案されている（例えば、特許文献１参照）。
【０００３】
前記キャップは、天板に上部先端が嘴状の注出筒を立設し、この注出筒の内側に、引っ張りリングが連結する支柱をもち、薄肉脆弱線が周設する切取部を設け、注出筒の外側に係合突起をもつキャップ装着筒を立設し、このキャップ装着筒の下端周縁に薄肉脆弱線を介して取外用つまみと、縦の薄肉脆弱線と、ボトル口頸部に嵌合する嵌合突部とを持つ把持筒を垂設し、更に天板下面にインナーリングを設けた中栓を備えている。また、前記キャップ装着筒外周に嵌着した側壁にヒンジを介して蓋を連結したキャップを設け、蓋により前記注出筒を開閉可能に被覆する如く構成している。
【０００４】
前記キャップは、薄肉脆弱線に囲まれた切取部の存在で装着した容器内収納物の未使用を認識でき、また、中栓の把持筒に設けられた取外用つまみを外方へ引っ張ることにより把持筒を中栓から離脱すると、簡単に中栓が外れて廃棄することができるという取り扱い上の便利さも兼ね備えている。
【特許文献１】特開平０８−０５８８２４号公報
【発明の開示】
【発明が解決しようとする課題】
【０００５】
本発明では前記した吐出路を閉塞するバージンシールに加え、外部から一見して容器の未使用が判別できるバージンシールを備え、しかも、簡単な操作で各バージンシールを外すことができて取り扱いが便利である中栓付きキャップを提案する。また、開封の際に確実容易に吐出路を開口することができる中栓付きキャップを提案する。
【課題を解決するための手段】
【０００６】
上記課題を解決するための本発明の中栓付きキャップは、中栓２と、封緘リング３と、キャップ本体４と、蓋体５とを備えている。
【０００７】
中栓２は合成樹脂等により形成することができ、容器体口頸部12の上部外周に嵌合した外筒20と口頸部12内周に嵌合した内筒22とをフランジ21で連結するとともに、内筒22下端部を押圧破断可能な閉塞板24で閉塞し、また、口頸部12に対して抜け出し不能に装着している。前記閉塞板24は周囲を易切断性の破断部を介して内筒22に連結することにより押圧破断が可能に構成しても良く、また、閉塞板24自体を薄肉に形成して吐出筒44による押圧破断が可能に構成しても良い。前記易切断性の破断部は薄肉部の形態を採用しても、或いは接続部分にミシン目等を施した形態のものであっても、或いは細棒状連結片で連結した形態のものであっても良い。
【０００８】
封緘リング３は中栓２と合成樹脂により一体に形成されたもので、前記中栓２の外筒外周下端部に易切断性の破断部を介して上端部を連結するとともに、前記口頸部下部の大外径部12b 外周に垂下して切断除去可能に設けている。前記易切断性の破断部は薄肉部の形態を採用しても、或いは接続部分にミシン目等を施した形態のものであっても、或いは細棒状連結片で連結した形態のものであっても良い。また、封緘リング３は完全な環状であっても、一部に開環部分ｓがある開環状であっても良く、完全な環状の場合には易切断性の破断部を縦設する。また、封緘リング３には切断除去の際に掴む摘み片31を突設すると良い。摘み片31は前記開環部分ｓ或いは縦設した易切断性の破断部の近傍に設けると良い。
【０００９】
キャップ本体４及び蓋体５も合成樹脂により形成されたもので、キャップ本体４は下端を開口した有頂筒状をなしている。また、前記封緘リング上方に周壁40を押し下げ可能に位置させて離脱可能に係止するとともに、前記大外径部外周の第１螺条15に螺合する第２螺条42を周壁40の内周下部に形成し、更に、前記内筒内周を液密に摺動する吐出筒44を頂板43より垂設している。蓋体５は、吐出筒44内の頂板43に設けた吐出口ａを液密に閉塞する栓を垂設してキャップ本体４上を開閉可能に閉塞している。
【００１０】
前記吐出筒44は開封後に容器体Ｂ内の収納物を吐出する吐出路の役割を果たすとともに、閉塞板24を押圧破断する役割を果たす。吐出筒44は、その下端部を切断刃45として形成しても良い。その場合下端縁が傾斜する形態のものが好ましく採用できる。閉塞板24の押圧破断の形態としては、単に閉塞板24を押圧して破断する形態、閉塞板が薄肉の破断部を介して設けられている場合の押圧して薄肉の破断部を破断する形態、吐出筒44下端に鋭利な切断刃を設けた場合の切断刃で切断する形態、或いはこれらの複合形態が挙げられる。      
【００１１】
また、本発明では封緘リング３の切断除去後に、前記第２螺条と第１螺条15との螺合開始位置までキャップ本体４を押し下げた後に、吐出筒44が閉塞板24を押圧破断する如く構成している。従って、キャップ本体４の当初の装着状態及びスライド下降させて第２螺条42が第１螺条15と当接した状態では、吐出筒44は閉塞板24上方に位置し、その後に吐出筒44の螺動下降により確実に閉塞板24を押圧破断する如く構成している。
【００１２】
本発明の第１の手段として、容器体口頸部12の上部外周に嵌合した外筒20と口頸部12内周に嵌合した内筒22とをフランジ21で連結するとともに、内筒22下端部を押圧破断可能な閉塞板24で閉塞し、且つ、口頸部12に対して抜け出し不能に装着した中栓２と、前記外筒外周下端部に易切断性の破断部を介して上端部を連結するとともに、前記口頸部下部の大外径部12b 外周に垂下して切断除去可能に設けた封緘リング３と、前記封緘リング上方に押し下げ可能に周壁40を位置させて離脱可能に係止するとともに、前記大外径部外周の第１螺条15に螺合する第２螺条42を周壁40の内周下部に形成し、且つ、頂板43より前記内筒内周を液密に摺動する吐出筒44を垂設したキャップ本体４と、前記吐出筒内の頂板43に設けた吐出口ａを液密に閉塞する栓を垂設してキャップ本体４上を閉塞する蓋体５とを備え、封緘リング３の切断除去後に前記第２螺条と第１螺条15との螺合開始位置までキャップ本体４を押し下げた後に、吐出筒44の下端縁が前記閉塞板24を押圧破断する如く構成した。
【００１３】
第２の手段として、前記第１の手段に於いて、前記閉塞板24が、周囲を易切断性の破断部を介して内筒22に連結した。
【００１４】
第３の手段として、前記第１の手段又は第２の手段のいずれかの手段に於いて、前記吐出筒44の下端部を、下端縁が傾斜する切断刃45に形成した。
【発明の効果】
【００１５】
本発明のキャップは、封緘リング３を切断除去した後キャップ本体４を下降させるという簡単な操作により吐出路の閉塞板24を除去して開口することができるという取り扱い上の便利がある。また、バージンシールを取り除いた後は本体と蓋体５とで通常の蓋体付きキャップとしての外観を得られる。また、封緘リング３を切断除去後、螺着開始位置までキャップ本体４をスライド下降させるため開封操作を素早く行えるとともに、最終的には吐出筒44を螺動下降させて閉塞板24を押圧破断するため、その下降は力強く、より確実に容易に吐出路を開口することができる。
【００１６】
また、閉塞板24の周囲を易切断性の破断部を介して内筒22に連結した場合にはより吐出路の開封が容易となる。
【００１７】
更に、前記吐出筒44の下端部を、下端縁が傾斜する切断刃45に形成した場合には、鋭利な先端部により最初に閉塞板24或いは薄肉の破断部に部分的に穿孔できるため、更に開口が容易となる。
【発明を実施するための最良の形態】
【００１８】
以下、本発明の実施例の形態を図面を参照して説明する。
【００１９】
図面は本発明の中栓付きキャップの一例を示すもので、該キャップＡは、容器体Ｂに嵌着固定するもので、中栓２と、封緘リング３と、キャップ本体４と、蓋体５とを備えている。
【００２０】
容器体Ｂは合成樹脂により形成されたもので、筒状の胴部10上端に肩部11を介して口頸部12を起立し、口頸部12の上部外周は縮径した小外径部12a として構成しており、口頸部12下部外周は大外径部12b として構成している。また、大外径部12b の下部の口頸部12下端部には環状窪み13を設けている。小外径部12a の上部には第１係止突条14を周設し、また、大外径部12b に第１螺条15を周設している。
【００２１】
中栓２は、前記小外径部12a に抜け出しを防止して嵌合させた外筒20の上端縁より口頸部12上にフランジ21を延設するとともに、フランジ21内周縁より下方へ垂設した内筒22を口頸部12内周に液密に嵌合させ、また、内筒22の下端部に於いて薄肉の第１破断部23を介して連結した閉塞板24により内筒22の下端開口部を閉塞している。
【００２２】
外筒20は、内周上部に前記第１係止突条14下面に乗り越え係合した第１係合突条25を周設して上方への抜け出しを防止しており、また、外筒20の外周上端部には係合凹溝26を周設しており、該係合凹溝26下方に該係合凹溝26を形成する環状突条部27を介して外筒20の下端部所定位置に至る案内凹部28を凹設している。案内凹部28は後述する第２係合突条が係合凹溝26から外れた際に安定した下降が可能な奥行きを持ち、その下端縁が第２係合突条を所定位置まで下降させるストッパーの役割を果たす。
【００２３】
封緘リング３は中栓２と一体に形成されたもので、図２に示す如く、一部に縦切溝状の開環部分ｓのある開環状で、前記外筒20下端縁に薄肉の第２破断部30を介して切断可能に上端縁を連結して前記大外径部12b 外周に垂設している。また、開環部分ｓの近傍には摘み片31を突設している。
【００２４】
キャップ本体４は、封緘リング３上方に下降可能に装着したもので、周壁40の下部内周を大内径部40a とし、その上部内周を小内径部40b として構成しており、外筒20外周上端部の係合凹溝26に離脱可能に係合する第２係合突条41を小内径部40b 下端部内周に突設しており、また、大内径部40a 内周に前記第１螺条15と螺合する第２螺条42を周設している。従って、第２螺条42は外筒20外方位置に於いて外筒20と接触せず、口頸部12の大外径部12b に至って第１螺条15と螺合する如く構成している。また、周壁40上端縁より延設した頂板43の裏面からは前記内筒22内周に液密に摺動する吐出筒44を垂設しており、吐出筒44内の頂板43に吐出口ａを開口している。また、吐出筒44は円筒状で、外周に突出設した摺動突条46を内筒22内周面に液密摺動可能に嵌合しており、下端部を切断刃45として構成している。切断刃45は下縁が斜めに傾斜し且つ鋭利に尖った形状をなしている。更に、第２螺条42と第１螺条15との螺合開始位置までキャップ本体４が下降した際に、切断刃45の先端部が閉塞板24の近傍或いは当接する位置まで下降する長さに垂設されている。
【００２５】
蓋体５は、キャップ本体に開閉可能に設けたもので、その後部をキャップ本体４の後部に弾性反転ヒンジ50を介して回動可能に連結しており、裏面からは前記吐出口ａに液密に嵌合して閉塞する栓51を垂設し、また、前部からは指掛け突起52を突設している。
【００２６】
前記の如く構成したキャップＡを使用する場合について説明する。図１の状態では口頸部12内は閉塞されているため、収納液は吐出できない。また、封緘リング３の存在で、容器体Ｂ内が未使用であることが容易に理解できる。この状態から摘み片31を掴んで引っ張ることにより第２破断部30を切断して封緘リング３を切断除去した後キャップ本体４を押し下げると、第２係合突条41が係合凹溝26から外れてその内周面が案内凹部28の奥面に案内されて下降し、周壁40の第２螺条42が大外径部12b の第１螺条15と当接する位置まで下降する。各第１螺条，第２螺条の当接は手の感触等で判断できる。この際、吐出筒44も下降してその切断刃45が図２に示す如く、閉塞板24周囲の第１破断部23の直上当接状態となる。次いで、キャップ本体４を回動させることにより、第２螺条42を第１螺条15に螺合してキャップ本体４を螺動下降させる。同時に内部では切断刃45により第１破断部23が切断され、閉塞板24は容器体Ｂ内に落下し、図３に示す如く、第２係合突条41が案内凹部28の下端に係止されて螺動下降が終点となる。この状態から蓋体５開いて収納液を吐出することができる。
【００２７】
尚、前記例では、容器体Ｂ内に収納した液等の収納物を閉塞板24を開封して吐出する例に付いて説明したが、内筒22，閉塞板24，頂板43，吐出筒44で区画される領域に容器体内収納物とは別の収納物を収納して二剤混合用の容器に用いる中栓付きキャップとすることも可能である。
【図面の簡単な説明】
【００２８】
【図１】本発明キャップの縦断面図である。（実施例１）
【図２】本発明キャップに於ける封緘リングの要部斜視図である。（実施例１）
【図３】本発明キャップの開封途中の状態を示す縦断面図である。（実施例１）
【図４】本発明キャップの開封後の状態を示す縦断面図である。（実施例１）
【符号の説明】
【００２９】
２…中栓，３…封緘リング，４…キャップ本体，５…蓋体，12…口頸部，
12a …小外径部，12b …大外径部，15…第１螺条，20…外筒，21…フランジ，
22…内筒，24…閉塞板，40…周壁，40a …大内径部，40b …小内径部，42…第２螺条，  43…頂板，44…吐出筒，45…切断刃，ａ…吐出口，Ｂ…容器体
【図１】
2006306459.tif 000003
【図２】
2006306459.tif 000004
【図３】
2006306459.tif 000005
【図４】
2006306459.tif 000006